【手続補正書】
【提出日】平成26年4月16日(2014.4.16)
【手続補正１】
【補正対象書類名】特許請求の範囲
【補正対象項目名】全文
【補正方法】変更
【補正の内容】
【特許請求の範囲】
【請求項１】
シートの画像を形成する装置本体と、
前記装置本体に設けられてシートが排出される排出口と、
前記排出口から排出されるシートが積載されるシート積載手段と、
前記排出口から排出されるシートを前記装置本体との間で前記シート積載手段に案内する排紙ガイドと、を備え、
前記排紙ガイドは、前記装置本体に回動可能に設けられ、中間部に関節部を備えている、
ことを特徴とした記録装置。
【請求項２】
前記排紙ガイドは、前記関節部より上部に備えられ前記装置本体に対して回動可能に取り付けられた上ガイドと、前記関節部より下部に備えられ前記上ガイドに対して回動可能に取り付けられている下ガイドとを備えている、
ことを特徴とする請求項１に記載の記録装置。
【請求項３】
前記上ガイドはシャフトによって構成され、前記装置本体から離れる方向に凹形状に形成されている、
ことを特徴とする請求項２に記載の記録装置。
【請求項４】
前記上ガイドは、下部が前記装置本体の側に湾曲している、
ことを特徴とする請求項２または３に記載の記録装置。
【請求項５】
前記下ガイドの上部は、シートの紙面に対し掬い取り形状をしている、
ことを特徴とする請求項２ないし４のいずれか１項に記載の記録装置。
【請求項６】
前記下ガイドの掬い取り形状は、中央部が凸形状をしている、
ことを特徴とする請求項５に記載の記録装置。
【請求項７】
前記下ガイドは、前記装置本体から離れる方向に回動がしやすいように錘を備えている
ことを特徴とする請求項２ないし６のいずれか１項に記載の記録装置。
【請求項８】
前記下ガイドの幅は、前記装置本体の印字領域幅以上の幅を有している、
ことを特徴とする請求項２ないし７のいずれか１項に記載の記録装置。
【請求項９】
用紙のミシン目が前記排出口に停止する、
こと特徴とする請求項１ないし８のいずれか１項に記載の記録装置。
【請求項１０】
前記シート積載手段は、シート排出方向に倒れるスタッカーガイドを備えている、
ことを特徴とする請求項１ないし９のいずれか１項に記載の記録装置。
【手続補正２】
【補正対象書類名】明細書
【補正対象項目名】発明の名称
【補正方法】変更
【補正の内容】
【発明の名称】記録装置
【手続補正３】
【補正対象書類名】明細書
【補正対象項目名】０００１
【補正方法】変更
【補正の内容】
【０００１】
本発明は画像を形成したファンフォールド紙を積載する記録装置に関する。
【手続補正４】
【補正対象書類名】明細書
【補正対象項目名】０００２
【補正方法】変更
【補正の内容】
【０００２】
連続するファンフォールド紙（以下、用紙という）に印字する記録装置として、特許文献１に記載のものがある。この記録装置は、印字された用紙を積載するための底部を有し、その底部には少なくとも一部に一端より他端が低くなるように傾斜面または湾曲面を設けたスタッカーを備えている。この記録装置における用紙の積載は用紙自体の腰の強さ（剛性）やミシン目の折り癖を利用している。
【手続補正５】
【補正対象書類名】明細書
【補正対象項目名】０００３
【補正方法】変更
【補正の内容】
【０００３】
また、他の記録装置として、特許文献２に記載のものがある。この記録装置は、用紙を送出するように搬送手段の前面傾斜部に設けられた送出口の下方に配置されて、送出口から送出された用紙を積載する積載手段を備えている。この積載手段は送出口から送出されてくる用紙をガイドして積載させるためのガイド部材を有している。そして、ガイド部材は、送出口が設けられた傾斜部の下方延長先よりも内側に少なくとも一部が位置するように積載手段の上端に配置されている。この記録装置における用紙の積載は用紙自体の腰の強さ（剛性）を利用している。
【手続補正６】
【補正対象書類名】明細書
【補正対象項目名】０００５
【補正方法】削除
【補正の内容】
【手続補正７】
【補正対象書類名】明細書
【補正対象項目名】０００６
【補正方法】変更
【補正の内容】
【０００６】
本発明は、用紙のコシ（剛性）に頼ることなく、ファンフォールド紙を積載できるようにした記録装置を提供することを目的とする。
【手続補正８】
【補正対象書類名】明細書
【補正対象項目名】０００７
【補正方法】変更
【補正の内容】
【０００７】
本発明の記録装置は、シートの画像を形成する装置本体と、前記装置本体に設けられてシートが排出される排出口と、前記排出口から排出されるシートが積載されるシート積載手段と、前記排出口から排出されるシートを前記装置本体との間で前記シート積載手段に案内する排紙ガイドと、を備え、前記排紙ガイドは、前記装置本体に回動可能に設けられ、中間部に関節部を備えている、ことを特徴としている。
【手続補正９】
【補正対象書類名】明細書
【補正対象項目名】０００８
【補正方法】削除
【補正の内容】
【手続補正１０】
【補正対象書類名】明細書
【補正対象項目名】０００９
【補正方法】削除
【補正の内容】
【手続補正１１】
【補正対象書類名】明細書
【補正対象項目名】００１０
【補正方法】削除
【補正の内容】
【手続補正１２】
【補正対象書類名】明細書
【補正対象項目名】００１１
【補正方法】削除
【補正の内容】
【手続補正１３】
【補正対象書類名】明細書
【補正対象項目名】００１２
【補正方法】削除
【補正の内容】
【手続補正１４】
【補正対象書類名】明細書
【補正対象項目名】００１３
【補正方法】削除
【補正の内容】
【手続補正１５】
【補正対象書類名】明細書
【補正対象項目名】００１４
【補正方法】削除
【補正の内容】
【手続補正１６】
【補正対象書類名】明細書
【補正対象項目名】００１５
【補正方法】削除
【補正の内容】
【手続補正１７】
【補正対象書類名】明細書
【補正対象項目名】００１６
【補正方法】削除
【補正の内容】
【手続補正１８】
【補正対象書類名】明細書
【補正対象項目名】００１７
【補正方法】削除
【補正の内容】
【手続補正１９】
【補正対象書類名】明細書
【補正対象項目名】００１８
【補正方法】削除
【補正の内容】
【手続補正２０】
【補正対象書類名】明細書
【補正対象項目名】００１９
【補正方法】変更
【補正の内容】
【００１９】
本発明の記録装置は、排出口から排出されたシートの先端はガイドにより排出口の下方に位置するスタッカーへと案内される。ガイド先端により用紙先端を押圧することにより用紙を湾曲させ積載不良の発生を防止することが可能である。また、用紙根元側のミシン目付近においてもガイドとカバーの間を用紙が通過することにより用紙がガイドされ積載不良を防止することが可能である。
【手続補正２１】
【補正対象書類名】明細書
【補正対象項目名】００２１
【補正方法】変更
【補正の内容】
【００２１】
以下、本発明の実施形態の、連続するシートとしてのファンフォールド紙（以下、「用紙」という）に印字して、その用紙を積載する記録装置としてのインクジェット記録装置を図に基づいて説明をする。
【手続補正２２】
【補正対象書類名】明細書
【補正対象項目名】００２９
【補正方法】変更
【補正の内容】
【００２９】
下ガイド１１１ｂは上ガイド１１１ａに回動可能に取り付けられており排出されたファンフォールド紙Ｐに追従する。また、下ガイド１１１ｂには錘１１１ｄが備えられており、印字濃度の差により用紙Ｐの腰（剛性）のばらつきが発生しても用紙Ｐがガイドを通過するのを妨げることがない（図１７参照）。上ガイド１１１ａの関節部１１１ｃはシャフト１１１ｅが水平になるように備えられている。このため、上ガイド１１１ａは略Ｕ字状に形成されている。また、シャフト１１１ｅ部は排出口１２９、及び、スタッカーに平行に備えられている。上ガイド１１１ａに取り付けられている下ガイド１１１ｂも排出口１２９、スタッカーに平行に取り付けられている。用紙Ｐ上の印字濃度はユーザが指定した画像により任意に変化する。印字濃度に差があるとそれに伴い用紙Ｐの腰（剛性）にもばらつきが発生するが、排出口１２９、スタッカーに平行に備えられた上ガイド１１１ａ、下ガイド１１１ｂにより用紙Ｐも排出口１２９、スタッカーに対し略平行に排出、及び、積載される。
【手続補正２３】
【補正対象書類名】明細書
【補正対象項目名】００３６
【補正方法】変更
【補正の内容】
【００３６】
下ガイド１１１ｂ上部には錘１１１ｄが備えられている。これは後述する低濃度に印字された用紙Ｐが下ガイド１１１ｂの下を通過するときに下ガイド１１１ｂ下端が回動しやすくしている。錘１１１ｄの位置は上ガイド１１１ａのシャフト１１１ｅ部よりも上方である。
【手続補正２４】
【補正対象書類名】明細書
【補正対象項目名】００３８
【補正方法】変更
【補正の内容】
【００３８】
図８は、印字動作が開始される前の状態、及び停止した状態を示す。スタッカーユニット１１０は、インクジェット記録装置の本体１０１Ａから引き出されてスタッカーガイド１３１が垂直に起こされ、使用された後、そのスタッカーガイドが水平に倒されて、インクジェット記録装置の下部に戻されて収納されるようになっている。用紙Ｐは、スタッカー上で、数回ミシン目Ｐ１で折り返され積載される。図８は複数枚積載された状態を示している。
【手続補正２５】
【補正対象書類名】明細書
【補正対象項目名】００５６
【補正方法】変更
【補正の内容】
【００５６】
用紙Ｐがバックフィードされるとき、インクジェット記録装置１０１の本体近傍のミシン目Ｐ１に下ガイド１１１ｂの下端が挟まれて、下ガイド１１１ｂが矢印Ｃ方向に巻き込まれるおそれがある。これにより、ミシン目Ｐ１での意図しない破れが発生するおそれがある。このため、下ガイド１１１ｂの上端には、立ち上がり部１１１ｇが形成されており、この立ち上がり部１１１ｇによって、下ガイド１１１ｂがミシン目Ｐ１で矢印Ｃ方向に挟まれ巻き込まれることが防止される。すなわち、下ガイドの上ガイドと反対側の端部は、立ち上がり部１１１ｇによって、立ち上がり形状に形成されている。
【手続補正２６】
【補正対象書類名】明細書
【補正対象項目名】００５８
【補正方法】変更
【補正の内容】
【００５８】
図１９は、インクジェット記録装置１０１の制御系の構成例を示すブロック図である。基盤（Ｅ１００）は、搬送モータ（Ｅ１０７）の制御部であり、ＣＰＵ（Ｅ１０１）、不揮発性メモリ（ＤＲＡＭ、Ｅ１０３）、ＳＲＡＭ（Ｅ１０２）等を有している。ＣＰＵ（Ｅ１０１）は、搬送処理手順に対応したプログラムに従って各部を制御するようになっている。ＳＲＡＭ（Ｅ１０２）は、そのプログラムや、所要の固定データを格納するようになっている。ＳＲＡＭ（Ｅ１０２）は、ＣＰＵ（Ｅ１０１）による制御および各部との通信の過程で使用されるデータやパラメータなどを一時的に記憶する作業用のメモリである。ＤＲＡＭ（Ｅ１０３）は、電源がオフの状態においても所要のデータを保存しておくための不揮発性メモリである。ＡＳＩＣ（Ｅ１０４）は、搬送モータ（Ｅ１０７）を制御する信号をモータドライバ（Ｅ１０５）に送り、モータドライバ（Ｅ１０５）によって、設定された電源値によって搬送モータ（Ｅ１０７）を動作させる制御回路である。ＣＰＵ（Ｅ１０１）は、センサ（Ｅ１０６）からの情報を入力するとともに、搬送モータ（Ｅ１０７）の駆動を制御するようになっている。センサ（Ｅ１０６）からの信号を、ＡＳＩＣ（Ｅ１０４）を用いてカウントし、設定された速度になるように制御するようになっている。
【手続補正２７】
【補正対象書類名】明細書
【補正対象項目名】００６０
【補正方法】変更
【補正の内容】
【００６０】
１０１：インクジェット記録装置（記録装置）、１０１Ａ：装置本体、１０２：ＰＣ、１０３：ヘッド、１０４：回復ユニット、１０５：記録エンジン、１０６：表示パネル、１０７：ボタン、１０８：操作パネル、１０９：搬送ユニット、１１０：スタッカーユニット、１１０Ａ：スタッカー（シート積載手段）、１１１：排紙ガイド、１１１ａ：上ガイド、１１１ｂ：下ガイド、１１１ｃ：関節部、１１１ｄ：錘、１１１ｅ：シャフト、１１１ｆ：通紙部、１１１ｇ：掬い取り形状、１１１ｈ：凸形状、１１１ｉ：凹形状、１１１ｊ：立ち上がり部、１１２：記録ユニット、１１３：給紙ユニット、１１４：インク供給ユニット、１１５：メンテナンスタンクユニット、１１６：ベースユニット、１１７：プラテン、１１８：搬送ベルト、１１９：搬送シャフト、１２０：モータ、１２１：エンコーダ、１２２：センサ、１２４：インクタンクホルダ、１２５：フタ、１２６：フレームユニット、１２７：インクタンクドア、１２８：メンテナンスカートリッジドア、１２９：排出口、１３０：排紙ガイドカバー、１３１：スタッカーガイド、Ｐ：ファンフォールド紙（シート）、Ｐ１：ミシン目、Ｐ２：平坦部。
【手続補正２８】
【補正対象書類名】図面
【補正対象項目名】図７
【補正方法】変更
【補正の内容】
【図７】
2012232477.tif 000001